(57)【要約】【課題】車両に設けられたクレードルに装着された状態で不使用状態に置かれ、使用者が車両から離れてしまった場合に、正規の使用者以外のものが制御しようとしても実質的に正しく制御することができない携帯端末装置を得る。【解決手段】車両におけるクレードル１２への装着を検出する装着検出部２４と、車両の操作スイッチ部からの車両の電気系統がオン状態であることをあらわすＡＣＣ信号を検出するＡＣＣ信号検出部２５と、装着検出部２４がクレードル１２への装着を検出するとともにＡＣＣ信号検出部２５がＡＣＣ信号を検出する状態から、装着検出部２４がクレードル１２への装着を検出するがＡＣＣ信号検出部２５がＡＣＣ信号を検出しない状態に移行した後、所定の時間が経過したとき、入力操作部１７からの入力信号を、パスワード情報をあらわす信号の場合を除いて、無効とする入力操作無効状態をとる動作制御ユニット２３とを備える。【選択図】　　　　図２
2004140548.tif 000002
【特許請求の範囲】
【請求項１】
操作に応じた入力信号を送出する入力操作部と、
該記入力操作部から得られる入力信号に基づくデータを格納するメモリ部と、
車両に設けられたクレードルに全体が着脱自在に装着されたことを検出して検出出力信号を送出する装着検出部と、
上記車両の電気系統を制御する操作スイッチ部からの上記車両の電気系統がオン状態とされていることをあらわすオン信号を検出するオン信号検出部と、
上記入力操作部からの入力信号が供給されて、上記メモリ部についての動作制御を行い、上記装着検出部から上記検出出力信号が得られるとともに上記オン信号検出部により上記オン信号が検出される状態から、上記装着検出部から上記検出出力信号が得られるが上記オン信号検出部により上記オン信号が検出されない状態に移行した後、所定の時間が経過したとき、上記入力操作部からの入力信号を、該入力信号が予め設定された特定の入力信号の場合を除いて、無効とする入力操作無効状態をとる動作制御部と、
を備えて構成される携帯端末装置。
【請求項２】
動作制御部が、装着検出部から検出出力信号が得られるとともにオン信号検出部によりオン信号が検出される状態から、上記装着検出部から検出出力信号が得られない状態に移行したときには、入力操作無効状態をとらないことを特徴とする請求項１記載の携帯端末装置。
【請求項３】
動作制御部が、装着検出部から検出出力信号が得られるとともにオン信号検出部によりオン信号が検出される状態から、上記装着検出部から上記検出出力信号が得られるが上記オン信号検出部により上記オン信号が検出されない状態に移行した後、所定の時間が経過する前に上記装着検出部から上記検出出力信号が得られなくなったときには、入力操作無効状態をとらないことを特徴とする請求項２記載の携帯端末装置。
【請求項４】
動作制御部が、予め設定された特定の入力信号として、予め決められたパスワード情報をあらわす信号を選択することを特徴とする請求項１記載の携帯端末装置。
【請求項５】
動作制御部が、入力操作無効状態をとるもとで入力操作部から予め決められたパスワード情報をあらわす信号が入力信号として供給されるとき、上記入力操作無効状態を解除することを特徴とする請求項４記載の携帯端末装置。
【発明の詳細な説明】
【０００１】
【発明の属する技術分野】
本願の特許請求の範囲に記載された発明は、入力操作部と、入力操作部から得られる入力信号に基づくデータを格納するメモリ部と、メモリ部についての動作制御を行う動作制御部とを備え、全体が車両に設けられたクレードルに着脱自在とされる携帯端末装置に関する。
【０００２】
【従来の技術】
近年、使用者が片手で保持して操作できるように小型軽量化された無線電話機である携帯電話機に代表される、情報信号の送受信を行う通信機能を具えた携帯端末装置が、各方面において広く利用されている。斯かる携帯端末装置にあっては、通信機能によって取り込んだ情報信号に基づく情報データ、入力操作部が操作されることにより得られる入力信号に基づく情報データ等を格納するメモリ部が設けられ、そのメモリ部が他の各部と共に、例えば、マイクロコンピュータが用いられて構成される動作制御ユニットによって制御される。
【０００３】
メモリ部は、例えば、半導体メモリ素子、極めて小型な集積回路素子（ＩＣ素子）が組み込まれたＩＣカード等々によるものとされて、格納されたデータを長期間に亙って安定に保持することができる。それゆえ多くのメモリ部には、当該携帯端末装置の使用者についての各種個人情報等をあらわす秘密に維持されるべきデータ（秘匿情報データ）が格納されたものとされることが多い。
【０００４】
このような携帯端末装置が、情報信号の送受信を行うべく、外部との通信状態に置かれる場合、たまたま通信相手が悪意をもった第三者であるような場合には、所謂、“ウィルス”と称される不正プログラムの侵入を許すことになる虞がある。一旦、携帯端末装置に“ウィルス”が侵入すると、当該“ウィルス”は、メモリ部に格納された秘匿情報データを勝手にメモリ部から読み出して、それに基づく情報信号を送信してしまう、あるいは、携帯端末装置に格納された秘匿情報データを破壊してしまう等の問題を生じる。
【０００５】
そこで、従来、携帯端末装置について、動作制御ユニットとメモリ部との間の信号伝送路にゲート回路を設け、それを別途設けたセキュリティボタン及びスイッチにより制御するようにして、セキュリティボタン及びスイッチが操作されていないときには、ゲート回路により動作制御ユニットとメモリ部との間の信号伝送路が遮断されて、メモリ部に格納された情報データにアクセスできず、携帯端末装置の使用者によりセキュリティボタン及びスイッチが操作されているときのみ、ゲート回路により動作制御ユニットとメモリ部との間の信号伝送路が開通されて、メモリ部に格納された情報データにアクセスできるようにすることが提案されている（例えば、特許文献１参照。）。このような従来提案された携帯端末装置は、それが実用化されたか否かについては確かではないが、少なくとも、特許文献１において知られたものであることは明らかである。
【０００６】
【特許文献１】
特開２００１−２６８６４７号公報（図２及びその説明）
【０００７】
【発明が解決しようとする課題】
上述のように、従来、例えば、特許文献１において提案されているようなセキュリティボタン及びスイッチが設けられた携帯端末装置であっても、その装置自体が盗難等に遇った場合には、携帯端末装置の正規の使用者以外の者によりセキュリティボタン及びスイッチが操作されて、メモリ部に格納された情報データにアクセスできる状態がとられ、メモリ部に格納された情報データが不正に取り出されてしまう虞がある。例えば、最近の車両においては、乗員席の近傍に、携帯端末装置が着脱自在とされるクレードルが備えられたものが少なくない。そして、携帯端末装置を車両内に持ち込んだ乗員は、携帯端末装置を車両に設けられたクレードルに装着し、そのままあるいは適宜クレードルから外して携帯端末装置を使用する。その後、例えば、乗員が、車両内に携帯端末装置をクレードルに装着した状態のまま残して、車両を離れてしまったような場合に、携帯端末装置が盗難に遇い、携帯端末装置のメモリ部に格納された情報が不正に取り出されてしまう事態が生じるのである。
【０００８】
それゆえ、携帯端末装置であって、例えば、車両に設けられたクレードルに装着された状態で不使用状態に置かれ、使用者が車両から離れてしまったもとで、正規の使用者以外のものが制御しようとしても、実質的に正しく制御することができず、しかも、正規の使用者が再度使おうとするときには、正しい制御を容易に行えることになるものが望まれるが、従来にあってはこのような要求を満たす携帯端末装置についての提案は見当たらない。
【０００９】
斯かる点に鑑み、本願の特許請求の範囲に記載された発明は、入力操作部、入力操作部から得られる入力信号に基づくデータを格納するメモリ部、及び、入力操作部、メモリ部等についての動作制御を行う動作制御部とを備えて成り、車両に設けられたクレードルに装着された状態で不使用状態に置かれ、使用者が車両から離れてしまった場合に、正規の使用者以外のものが制御しようとしても実質的に正しく制御することができず、しかも、正規の使用者が再度使おうとするときには、正しい制御を容易に行えることになる携帯端末装置を提供する。
【００１０】
【課題を解決するための手段】
本願の特許請求の範囲における請求項１から請求項５までのいずれかに記載された発明に係る携帯端末装置（以下、本願発明の携帯端末装置という。）は、操作に応じた入力信号を送出する入力操作部と、入力操作部から得られる入力信号に基づくデータを格納するメモリ部と、車両に設けられたクレードルに全体が着脱自在に装着されたことを検出して検出出力信号を送出する装着検出部と、車両の電気系統を制御する操作スイッチ部からの車両の電気系統がオン状態とされていることをあらわすオン信号を検出するオン信号検出部と、入力操作部からの入力信号が供給されて、メモリ部についての動作制御を行い、装着検出部から検出出力信号が得られるとともにオン信号検出部によりオン信号が検出される状態から、装着検出部から検出出力信号が得られるがオン信号検出部によりオン信号が検出されない状態に移行した後、所定の時間が経過したとき、入力操作部からの入力信号を、それが予め設定された特定の入力信号の場合を除いて、無効とする入力操作無効状態をとる動作制御部と、を備えて構成される。
【００１１】
このような本願発明の携帯端末装置にあっては、動作制御部が、装着検出部から検出出力信号が得られるとともにオン信号検出部によりオン信号が検出される第１の状態のもとでは、入力操作部からの入力信号を有効なものとして、入力操作部における操作に応じた動作制御を行う。そして、斯かる第１の状態から、装着検出部から検出出力信号が得られるがオン信号検出部によりオン信号が検出されない第２の状態に移行したときには、その後所定の時間が経過したとき、入力操作部からの入力信号を、それが予め設定された特定の入力信号である場合、例えば、請求項４に記載された発明に係る携帯端末装置の場合のように、予め定められたパスワード情報をあらわす信号である場合を除いて、無効とする入力操作無効状態をとり、入力操作部における操作に応じた動作制御は行わない。それにより、本願発明の携帯端末装置は、第１の状態から第２の状態に移行したとき、その後、所定の時間が経過すると、入力操作部が操作されて予め設定された特定の入力信号、例えば、予め定められたパスワード情報をあらわす信号が動作制御部に供給される場合には、適正に制御することができるが、それ以外の場合には、適正に制御できないものとされることになる。
【００１２】
そして、このような本願発明の携帯端末装置が、車両に設けられたクレードルに装着された状態で不使用状態に置かれ、使用者が車両の電気系統をオフ状態にして車両から離れた場合には、先ず、第１の状態から第２の状態に移行する。このとき、第１の状態から第２の状態への移行後、所定の時間が経過するまでは、本願発明の携帯端末装置は、入力操作部を操作することによりその操作に応じた適正な制御を行える状態に置かれる。それゆえ、例えば、一旦車両の電気系統をオフ状態にした使用者が、再度本願発明の携帯端末装置を使おうとした場合には、直ちに、本願発明の携帯端末装置についての適正な制御を行うことができる。
【００１３】
一方、第１の状態から第２の状態への移行後、所定の時間が経過したときには、本願発明の携帯端末装置は、入力操作部を操作して予め設定された特定の入力信号、例えば、予め定められたパスワード情報をあらわす信号が、動作制御部に供給される場合には、適正に制御できるものとされるが、それ以外の場合には、入力操作部を操作しても適正に制御できないものとされる。そして、入力操作部を操作して予め設定された特定の入力信号、例えば、予め定められたパスワード情報をあらわす信号を動作制御部に供給することができるのは、本願発明の携帯端末装置の正規の使用者だけであり、正規の使用者は、本願発明の携帯端末装置を使うに際しては、入力操作部を操作して予め設定された特定の入力信号、例えば、予め定められたパスワード情報をあらわす信号を動作制御部に供給することにより、本願発明の携帯端末装置についての正しい制御を容易に行えることになる。
【００１４】
これよりして、本願発明の携帯端末装置は、車両に設けられたクレードルに装着された状態で不使用状態に置かれ、使用者が車両から離れてしまった場合に、正規の使用者以外のものが制御しようとしても実質的に正しく制御することができず、しかも、正規の使用者が再度使おうとするときには、正しい制御を容易に行えるものとされる。
【００１５】
【発明の実施の形態】
図１は、本願発明の携帯端末装置の一例が、車両の車室内に配された状態を示す。
【００１６】
図１に示される車室には、その前方部分に設置されたコンソール部１１にクレードル１２が設けられており、そのクレードル１２に、本願発明の携帯端末装置の一例を成す、使用者が片手で保持して操作できるように小型軽量化された無線電話機である携帯電話機１３が装着されている。即ち、図１に示される本願発明の携帯端末装置の一例は、携帯電話機１３とされているのである。
【００１７】
携帯電話機１３のクレードル１２への装着は、例えば、携帯電話機１３をクレードル１２内にその上方から差し込むだけで行うことができ、また、クレードル１２に装着された携帯電話機１３のクレードル１２からの離脱は、携帯電話機１３をクレードル１２からその上方に引き上げるだけで行うことができる。従って、携帯電話機１３はクレードル１２に対して着脱自在とされていることになる。
【００１８】
携帯電話機１３は、一体化されたケース１５に各部が収納されて構成されている。ケース１５からは送受信アンテナ１６が突出されており、また、ケース１５には、複数の操作キーによって形成される入力操作部１７と情報を画像表示する表示パネル部１８とが設けられている。
【００１９】
図２は、本願発明の携帯端末装置の一例を成す携帯電話機１３の構成の一例を示す。図２に示される例にあっては、音声の音声信号への変換、音声信号の音声への変換及び音声信号の送受信を行う電話機能部２１、その電話機能部２１に対する制御を行うための操作に供される入力操作部１７、入力操作部１７の操作に応じた情報表示を行う表示パネル部１８、各種の情報データの書込みによる格納及び読出しが行われるメモリ部２２、及び、各部の動作制御を行う、例えば、マイクロコンピュータが用いられて構成される動作制御ユニット２３が備えられている。電話機能部２１には、送受信アンテナ１６も含まれる。
【００２０】
さらに、図２に示される例においては、携帯電話機１３の全体がクレードル１２に装着された状態を検出する装着検出部２４と、クレードル１２が設けられた車両の電気系統を制御するキー・スイッチ部からの当該車両の電気系統がオン状態とされていることをあらわすオン信号としてのＡＣＣ信号（アクセサリー位置信号）を検出するＡＣＣ信号検出部２５とが備えられている。
【００２１】
装着検出部２４は、クレードル１２に設けられたスイッチ２６に接続されており、スイッチ２６は、クレードル１２に携帯電話機１３が装着されているときオン状態をとり、クレードル１２から携帯電話機１３が離脱されたときオフ状態をとる。それにより、装着検出部２４は、クレードル１２に携帯電話機１３が装着されてスイッチ２６がオン状態をとるとき、それにより携帯電話機１３の全体がクレードル１２に着脱自在に装着されたことを検出して、検出出力信号ＳＤを送出し、それを動作制御ユニット２３に供給する。
【００２２】
ＡＣＣ信号検出部２５は、クレードル１２が設けられた車両の電気系統がオン状態とされていることをあらわすオン信号を検出するオン信号検出部を形成している。そして、ＡＣＣ信号検出部２５は、例えば、クレードル１２を通じて供給される、車両のキー・スイッチ部からのＡＣＣ信号ＳＡＣを検出して、検出出力信号ＳＣを送出し、それを動作制御ユニット２３に供給する。
【００２３】
図３は、車両のキー・スイッチ部の一例を示す。図３に示される例にあっては、キー差込み部２７にキー２８が差し込まれており、斯かる状態のもとでキー操作が行われる。キー差込み部２７は、キー２８についてのＬＯＣＫ位置、ＡＣＣ位置、ＯＮ位置及びＳＴＡＲＴ位置に対応する表示が設けられている。キー２８は、ＬＯＣＫ位置においてキー差込み部２７に対する差込み及びキー差込み部２７からの引抜きが行われ、差し込まれたキー２８は、回転せしめられて、ＡＣＣ位置もしくはＯＮ位置に置かれる。また、ＯＮ位置に置かれたキー２８は、さらに回転せしめられる付勢力が加えられるときＳＴＡＲＴ位置をとるが、付勢力が加えられなくなるとＯＮ位置に戻る。そして、キー２８がＡＣＣ位置、ＯＮ位置もしくはＳＴＡＲＴ位置に置かれるとき、車両の電気系統がオン状態とされ、キー・スイッチ部から、車両の電気系統がオン状態とされていることをあらわすオン信号であるＡＣＣ信号ＳＡＣが送出される。
【００２４】
入力操作部１７は、それにおける操作が行われるとき、その操作に応じた入力信号ＳＩを送出して、それを動作制御ユニット２３に供給する。動作制御ユニット２３は、入力操作部１７からの入力信号ＳＩが供給されるとき、その入力信号ＳＩに応じて、電話機能部２１にそれに対する制御信号ＳＴを供給して、電話機能部２１についての動作制御を行い、電話機能部２１からはその動作に応じた情報信号ＳＸが動作制御ユニット２３に供給される。また、動作制御ユニット２３は、電話機能部２１に制御信号ＳＴを供給するとともに、表示パネル部１８に表示制御信号ＳＰを供給して、表示パネル部１８に入力操作部１７における操作、さらには、電話機能部２１における動作に応じた情報表示を行わせる。さらに、動作制御ユニット２３は、入力操作部１７からの入力信号ＳＩに応じて、あるいは、電話機能部２１からの情報信号ＳＸに応じて、メモリ部２２にそれに対する制御信号ＳＲを供給し、メモリ部２２についての動作制御を行って、メモリ部２２との間での情報データＤＤの遣り取りを行う。
【００２５】
このようなもとで、動作制御ユニット２３は、装着検出部２４から検出出力信号ＳＤが得られるとともに、即ち、クレードル１２に携帯電話機１３が装着されてスイッチ２６がオン状態をとるとともに、オン信号検出部を形成するＡＣＣ信号検出部２５から検出出力信号ＳＣが得られる状態とされるとき、即ち、車両の電気系統がオン状態とされているとき、後述される入力操作無効状態をとることなく、入力操作部１７からの入力信号ＳＩを有効なものとして、入力操作部１７における操作に応じた動作制御を行う状態をとる。また、動作制御ユニット２３は、装着検出部２４から検出出力信号ＳＤが得られるとともにＡＣＣ信号検出部２５から検出出力信号ＳＣが得られる状態から、携帯電話機１３がクレードル１２から離脱せしめられて、装着検出部２４から検出出力信号ＳＤが得られない状態にされたときにも、後述される入力操作無効状態をとることなく、入力操作部１７からの入力信号ＳＩを有効なものとして、入力操作部１７における操作に応じた動作制御を行う状態をとる。
【００２６】
そして、装着検出部２４から検出出力信号ＳＤが得られるとともにＡＣＣ信号検出部２５から検出出力信号ＳＣが得られる状態から、装着検出部２４から検出出力信号ＳＤが得られるがＡＣＣ信号検出部２５から検出出力信号ＳＣが得られない状態、即ち、クレードル１２に携帯電話機１３が装着されてスイッチ２６がオン状態をとるが車両の電気系統がオフ状態とされる状態に移行すると、動作制御ユニット２３は、その後所定の時間が経過するまでは、後述される入力操作無効状態をとることなく、入力操作部１７における操作に応じた動作制御を行う状態を継続し、また、その後所定の時間が経過する前に、携帯電話機１３がクレードル１２から離脱せしめられて、装着検出部２４から検出出力信号ＳＤが得られなくなったときにも、後述される入力操作無効状態をとることなく、入力操作部１７における操作に応じた動作制御を行う状態を継続する。
【００２７】
一方、装着検出部２４から検出出力信号ＳＤが得られるとともにＡＣＣ信号検出部２５から検出出力信号ＳＣが得られる状態から、装着検出部２４から検出出力信号ＳＤが得られるがＡＣＣ信号検出部２５から検出出力信号ＳＣが得られない状態に移行した後所定の時間が経過したときには、動作制御ユニット２３は、内蔵する入力操作無効処理部によって、入力操作部１７からの入力信号ＳＩを、それが予め設定された特定の信号である場合、例えば、予め定められたパスワード情報をあらわす信号である場合を除いて、無効とする入力操作無効状態をとり、入力操作部１７における操作に応じた動作制御は行わないものとなる。それにより、携帯電話機１３は、装着検出部２４から検出出力信号ＳＤが得られるとともにＡＣＣ信号検出部２５から検出出力信号ＳＣが得られる状態から、装着検出部２４から検出出力信号ＳＤが得られるがＡＣＣ信号検出部２５から検出出力信号ＳＣが得られない状態に移行したとき、その後、所定の時間が経過すると、入力操作部１７が操作されて予め設定された特定の信号、例えば、予め定められたパスワード情報をあらわす信号が入力信号ＳＩとして動作制御ユニット２３に供給される場合には、適正に制御することができるが、それ以外の場合には、適正に制御できないものとされることになる。
【００２８】
また、動作制御ユニット２３が入力操作無効状態をとるもとで、携帯電話機１３がクレードル１２に装着された状態が維持されたもとで、車両の電気系統がオン状態とされ、ＡＣＣ信号検出部２５から検出出力信号ＳＣが得られる状態とされるときには、動作制御ユニット２３は、携帯電話機１３の正規の使用者が車両の電気系統をオン状態にさせたものとみなし、入力操作無効状態を解除して、入力操作部１７における操作に応じた動作制御を行う状態に戻る。
【００２９】
従って、携帯電話機１３が車両に設けられたクレードル１２に装着されたまま不使用状態に置かれ、使用者が車両の電気系統をオフ状態にして車両から離れた場合には、先ず、装着検出部２４から検出出力信号ＳＤが得られるとともにＡＣＣ信号検出部２５から検出出力信号ＳＣが得られる状態から、装着検出部２４から検出出力信号ＳＤが得られるがＡＣＣ信号検出部２５から検出出力信号ＳＣが得られない状態に移行するが、このとき、装着検出部２４から検出出力信号ＳＤが得られるとともにＡＣＣ信号検出部２５から検出出力信号ＳＣが得られる状態から、装着検出部２４から検出出力信号ＳＤが得られるがＡＣＣ信号検出部２５から検出出力信号ＳＣが得られない状態への移行後、所定の時間が経過するまでは、携帯電話機１３は、入力操作部１７を操作することによりその操作に応じた適正な制御を行える状態に置かれる。それゆえ、例えば、一旦車両の電気系統をオフ状態にした使用者が、再度携帯電話機１３を使おうとした場合には、直ちに、携帯電話機１３についての適正な制御を行うことができる。
【００３０】
一方、装着検出部２４から検出出力信号ＳＤが得られるとともにＡＣＣ信号検出部２５から検出出力信号ＳＣが得られる状態から、装着検出部２４から検出出力信号ＳＤが得られるがＡＣＣ信号検出部２５から検出出力信号ＳＣが得られない状態への移行後、所定の時間が経過したときには、携帯電話機１３は、入力操作部１７を操作して予め設定された特定の信号、例えば、予め定められたパスワード情報をあらわす信号が入力信号ＳＩとして動作制御ユニット２３に供給される場合には、適正に制御できるものとされるが、それ以外の場合には、入力操作部１７を操作しても適正に制御できないものとされる。そして、入力操作部１７を操作して予め設定された特定の信号、例えば、予め定められたパスワード情報をあらわす信号を入力信号ＳＩとして動作制御ユニット２３に供給することができるのは、携帯電話機１３の正規の使用者だけであり、正規の使用者は、携帯電話機１３を使うに際しては、入力操作部１７を操作して予め設定された特定の信号、例えば、予め定められたパスワード情報をあらわす信号を入力信号ＳＩとして動作制御ユニット２３に供給することにより、携帯電話機１３についての正しい制御を容易に行えることになる。
【００３１】
これよりして、携帯電話機１３は、車両に設けられたクレードル１２に装着されたまま不使用状態に置かれ、使用者が車両から離れてしまった場合に、正規の使用者以外のものが制御しようとしても実質的に正しく制御することができず、しかも、正規の使用者が再度使おうとするときには、正しい制御を容易に行えるものとされることになる。
【００３２】
図４は、本願発明の携帯端末装置の他の例を示す。この図４に示される例は、携帯電話機３０とそれが装着される車両に設けられたクレードル３１とを含んで構成される。携帯電話機３０は、図２に示される携帯電話機１３が備える電話機能部２１、入力操作部１７、表示パネル部１８、メモリ部２２及び動作制御ユニット２３と同様な、電話機能部２１、入力操作部１７、表示パネル部１８、メモリ部２２及び動作制御ユニット２３を備えたものとされている。また、クレードル３１は、図２に示される携帯電話機１３が備える装着検出部２４及びＡＣＣ信号検出部２５と同様な装着検出部２４及びＡＣＣ信号検出部２５を備え、さらに、装着検出部２４及びＡＣＣ信号検出部２５の両者に連結された動作制御ユニット３２を備えている。そして、装着検出部２４には、図２に示されるクレードル１２に設けられたスイッチ２６と同様なスイッチ２６が接続されている。
【００３３】
クレードル３１にあっては、装着検出部２４からの検出出力信号ＳＤが動作制御ユニット３２に供給されるとともに、ＡＣＣ信号検出部２５からの検出出力信号ＳＣが動作制御ユニット３２に供給される。動作制御ユニット３２は、装着検出部２４からの検出出力信号ＳＤ及びＡＣＣ信号検出部２５からの検出出力信号ＳＣを、検出出力信号ＳＣＤとして、携帯電話機３０における動作制御ユニット２３に供給する。
【００３４】
携帯電話機３０における動作制御ユニット２３は、クレードル３１における動作制御ユニット３２から、装着検出部２４からの検出出力信号ＳＤ及びＡＣＣ信号検出部２５からの検出出力信号ＳＣが検出出力信号ＳＣＤとして供給されるもとで、図２に示される携帯電話機１３における動作制御ユニット２３と同様な制御動作を行う。それにより、携帯電話機３０も、図２に示される携帯電話機１３と同様に、車両に設けられたクレードル３１に装着されたまま不使用状態に置かれ、使用者が車両から離れてしまった場合に、正規の使用者以外のものが制御しようとしても実質的に正しく制御することができず、しかも、正規の使用者が再度使おうとするときには、正しい制御を容易に行えるものとされる。
【００３５】
図５は、図２に示される携帯電話機１３における動作制御ユニット２３もしくは図４に示される携帯電話機３０における動作制御ユニット２３が、入力操作無効状態をとる制御を行うにあたって実行する制御プログラムの一例を示すフローチャートである。
【００３６】
図５に示されるフローチャートにより示される制御プログラムにあっては、スタート後、ステップ４０において、装着検出部２４からの検出出力信号ＳＤの有無により、携帯電話機１３もしくは携帯電話機３０がクレードル１２もしくはクレードル３１に装着されているか否かを判断する。ステップ４０での判断の結果、携帯電話機１３もしくは携帯電話機３０がクレードル１２もしくはクレードル３１に装着されていない場合には、ステップ４０での判断を繰り返す。
【００３７】
一方、ステップ４０での判断の結果、携帯電話機１３もしくは携帯電話機３０がクレードル１２もしくはクレードル３１に装着されている場合には、ステップ４１において、ＡＣＣ検出部２５からの検出出力信号ＳＣの有無により、ＡＣＣ信号ＳＡＣが到来しているか否かを判断する。その結果、ＡＣＣ信号ＳＡＣが到来している場合には、ステップ４０に戻り、ＡＣＣ信号ＳＡＣが到来していない場合には、ステップ４２において、タイマーの時間計測を開始させる。
【００３８】
続いて、ステップ４３において、装着検出部２４からの検出出力信号ＳＤの有無により、携帯電話機１３もしくは携帯電話機３０がクレードル１２もしくはクレードル３１に装着されているか否かを判断する。その結果、携帯電話機１３もしくは携帯電話機３０がクレードル１２もしくはクレードル３１に装着されている場合には、ステップ４４において、ＡＣＣ検出部２５からの検出出力信号ＳＣの有無により、ＡＣＣ信号ＳＡＣが到来しているか否かを判断する。その結果、ＡＣＣ信号ＳＡＣが到来していない場合には、ステップ４５において、タイマーの計測結果から、タイマーの時間計測開始後所定の時間が経過したか否かを判断する。その結果、所定の時間が経過していなければ、ステップ４３に戻り、所定の時間が経過したときには、ステップ４６において、タイマーの時間計測を停止させてタイマーをリセットし、ステップ４７に進む。
【００３９】
一方、ステップ４３での判断の結果、携帯電話機１３もしくは携帯電話機３０がクレードル１２もしくはクレードル３１に装着されていない場合、及び、ステップ４４での判断の結果、ＡＣＣ信号ＳＡＣが到来している場合には、ステップ４８において、タイマーの時間計測を停止させてタイマーをリセットし、ステップ４０に戻り、ステップ４０以降の各ステップを繰り返す。
【００４０】
ステップ４７においては、内蔵する入力操作無効処理部によって、入力操作部１７からの入力信号ＳＩを、それが予め設定された特定の信号である場合、例えば、予め定められたパスワード情報をあらわす信号である場合を除いて、無効とする入力操作無効状態をとる。
【００４１】
その後、ステップ４９において、装着検出部２４からの検出出力信号ＳＤの有無により、携帯電話機１３もしくは携帯電話機３０がクレードル１２もしくはクレードル３１に装着されているか否かを判断する。その結果、携帯電話機１３もしくは携帯電話機３０がクレードル１２もしくはクレードル３１に装着されている場合には、ステップ５０において、ＡＣＣ検出部２５からの検出出力信号ＳＣの有無により、ＡＣＣ信号ＳＡＣが到来しているか否かを判断する。その結果、ＡＣＣ信号ＳＡＣが到来していない場合には、ステップ４９に戻り、ＡＣＣ信号ＳＡＣが到来している場合には、ステップ５１において、入力操作無効状態を解除して、ステップ４０に戻り、ステップ４０以降の各ステップを繰り返す。
【００４２】
一方、ステップ４９での判断の結果、携帯電話機１３もしくは携帯電話機３０がクレードル１２もしくはクレードル３１に装着されていない場合には、ステップ５２において、入力操作部１７から予め設定された特定の信号、例えば、予め定められたパスワード情報をあらわす信号が入力信号ＳＩとして供給されたか否かを判断する。その結果、入力操作部１７から予め設定された特定の信号、例えば、予め定められたパスワード情報をあらわす信号が入力信号ＳＩとして供給されていない場合には、ステップ５２での判断を繰り返し、入力操作部１７から予め設定された特定の信号、例えば、予め定められたパスワード情報をあらわす信号が入力信号ＳＩとして供給された場合には、ステップ５１において、入力操作無効状態を解除して、ステップ４０に戻り、ステップ４０以降の各ステップを繰り返す。
【００４３】
なお、上述の例は携帯電話機とされており、送受信部として電話機能部を備えているが、本願発明の携帯端末装置は、送受信部を備えていることは必ずしも必要ではなく、送受信部を有さないものとされてもよい。
【００４４】
【発明の効果】
以上の説明から明らかな如く、本願発明の携帯端末装置にあっては、車両に設けられたクレードルに装着された状態で不使用状態に置かれ、使用者が車両の電気系統をオフ状態にして車両から離れた場合には、先ず、装着検出部から検出出力信号が得られるとともにオン信号検出部によりオン信号が検出される状態から、装着検出部から検出出力信号が得られるがオン信号検出部によりオン信号が検出されない状態に移行する。このとき、装着検出部から検出出力信号が得られるとともにオン信号検出部によりオン信号が検出される状態から、装着検出部から検出出力信号が得られるがオン信号検出部によりオン信号が検出されない状態への移行後、所定の時間が経過するまでは、本願発明の携帯端末装置は、入力操作部を操作することによりその操作に応じた適正な制御を行える状態に置かれる。それゆえ、例えば、一旦車両の電気系統をオフ状態にした使用者が、再度本願発明の携帯端末装置を使おうとした場合には、直ちに、本願発明の携帯端末装置についての適正な制御を行うことができる。
【００４５】
一方、装着検出部から検出出力信号が得られるとともにオン信号検出部によりオン信号が検出される状態から、装着検出部から検出出力信号が得られるがオン信号検出部によりオン信号が検出されない状態への移行後、所定の時間が経過したときには、本願発明の携帯端末装置は、入力操作部を操作して予め設定された特定の入力信号、例えば、予め定められたパスワード情報をあらわす信号が動作制御部に供給される場合には、適正に制御できるものとされるが、それ以外の場合には、入力操作部を操作しても適正に制御できないものとされる。そして、入力操作部を操作して予め設定された特定の入力信号、例えば、予め定められたパスワード情報をあらわす信号を動作制御部に供給することができるのは、本願発明の携帯端末装置の正規の使用者だけであって、正規の使用者は、本願発明の携帯端末装置を使うに際しては、入力操作部を操作して予め設定された特定の入力信号、例えば、予め定められたパスワード情報をあらわす信号を動作制御部に供給することにより、本願発明の携帯端末装置についての正しい制御を容易に行えることになる。
【００４６】
これよりして、本願発明の携帯端末装置は、車両に設けられたクレードルに装着された状態で不使用状態に置かれ、使用者が車両から離れてしまった場合に、正規の使用者以外のものが制御しようとしても実質的に正しく制御することができず、しかも、正規の使用者が再度使おうとするときには、正しい制御を容易に行えるものとされることになる。
【図面の簡単な説明】
【図１】本願の特許請求の範囲における請求項１から請求項５までのいずれかに記載された発明に係る携帯端末装置の一例が、車両の車室内に配された状態を示す部分斜視図である。
【図２】本願の特許請求の範囲における請求項１から請求項５までのいずれかに記載された発明に係る携帯端末装置の一例を成す携帯電話機の構成の一例を示すブロック構成図である。
【図３】車両のキー・スイッチ部の一例を示す斜視図である。
【図４】本願の特許請求の範囲における請求項１から請求項５までのいずれかに記載された発明に係る携帯端末装置の他の例の構成を示すブロック構成図である。
【図５】図２に示される携帯電話機における動作制御ユニットもしくは図４に示される携帯電話機における動作制御ユニットが、入力操作無効状態をとる制御を行うにあたって実行する制御プログラムの一例を示すフローチャートである。
【符号の説明】
１１・・・コンソール部、　１２、３１・・・クレードル、　１３、３０・・・携帯電話機、　　１５・・・ケース、　　１６・・・送受信アンテナ、　１７・・・入力操作部、　１８・・・表示パネル部、　２１・・・電話機能部、　２２・・・メモリ部、　２３、３２・・・動作制御ユニット、　２４・・・装着検出部、　２５・・・ＡＣＣ信号検出部、　２６・・・スイッチ、　２７・・・キー差込み部、　２８・・・キー
【図１】
2004140548.tif 000003
【図２】
2004140548.tif 000004
【図３】
2004140548.tif 000005
【図４】
2004140548.tif 000006
【図５】
2004140548.tif 000007